(57)【要約】荷重下においてトラックに対するハウジングの高さまたは間隔を調節するときに、より適切な荷重分配や高い耐荷性能を備えた改良したスライド式ドアローラーシステムを提供すること。【課題】【解決手段】スライド式ドアローラーシステムは、一対のほぼ垂直の側部部材と、その内表面に突出部が設けられた一体式基礎部を含み、外側ハウジング内に少なくとも部分的に配置されるローラーハウジングと、ローラーハウジングに回転自在に連結される少なくとも一つのローラーホイールと、ローラーハウジングと前記少なくとも一つのローラーホイールに対して移動自在であり、前記少なくとも一つのローラーホイールの回転軸に対して垂直方向に移動自在な外側ハウジングと、ローラーハウジングおよび外側ハウジングに連結される回転自在な調節機構を備える。調節機構は外側ハウジングの外から回転自在であり、外側ハウジングに取り付けられたパネルの荷重下で、複数の高さ位置における、ローラーハウジングに対する外側ハウジングを指標するように適合される。【選択図】図１
2020512494.tif 000002
【特許請求の範囲】
【請求項１】
一対のほぼ垂直の側部部材と、その内面に突出部が設けられた一体式基礎部を含み、外側ハウジング内に少なくとも部分的に配置されるローラーハウジングと、
ローラーハウジングに回転自在に連結される少なくとも一つのローラーホイールと、
ローラーハウジングと前記少なくとも一つのローラーホイールに対して移動自在であり、前記少なくとも一つのローラーホイールの回転軸に対して垂直方向に移動自在な外側ハウジングと、
ローラーハウジングおよび外側ハウジングに連結され、外側ハウジングの外から回転自在であり、外側ハウジングに取り付けられたパネルの荷重下で、複数の高さ位置における、ローラーハウジングに対する外側ハウジングを指標するように適合された回転自在な調節機構と
を備える、スライド式ドアローラーシステム。
【請求項２】
調節機構は回転自在な制御部と歯車に連結された非円形のカムを備え、制御部と回転自在に連通し、カムはローラーハウジングの垂直な側部部材に対して横軸に回転自在であり、複数の歯を含む周縁を有し、カムの歯はカムが回転することで複数の高さ位置においてローラーハウジングに対する外側ハウジングを指標するようにローラーハウジングの内面における突出部と協働する、請求項１に記載のスライド式ドアローラーシステム。
【請求項３】
カムの周縁はカム周縁に沿った第一の位置からカムの周縁に沿った第二の位置までに増加する半径を画定し、
第一の位置から第二の位置にかけてのカムの回転が外側ハウジングを内側ハウジングから離れるように指標し、
第二の位置から第一の位置にかけてのカムの回転が外側ハウジングを内側ハウジングに向かって指標する、請求項２に記載のスライド式ドアローラーシステム。
【請求項４】
調節機構の回転自在な制御部は外側ハウジングの少なくとも一部を通して延伸し、調節機構の制御部は外側ハウジングの外から回転自在であり、カムを回転させてローラーハウジングに対する外側ハウジングを指標する、請求項２に記載のスライド式ドアローラーシステム。
【請求項５】
ローラーハウジングは各側部部材の一部を通して延伸する垂直な溝を備え、カムが回転するとローラーハウジングに対する外側ハウジングが指標され、調節機構の制御部は溝内に伸びて移動自在となる、請求項２に記載のスライド式ドアローラーシステム。
【請求項６】
ローラーハウジングの側部部材は丸みを帯びた角を有する鈍角の三角形を画定する、請求項２に記載のスライド式ドアローラーシステム。
【請求項７】
各内側ハウジングの側部部材の鈍角の角から始まり、斜辺の方向に伸びる凹状の溝を更に備え、カムが回転するとローラーハウジングに対する外側ハウジングが指標され、調節機構の制御部は溝内に伸びて移動自在となる、請求項６に記載のスライド式ドアローラーシステム。
【請求項８】
ローラーハウジングの内面の突出部はパネルの荷重が掛かっている間にカムの回転を抑止する回り止めとして作用する、請求項２に記載のスライド式ドアローラーシステム。
【請求項９】
外側ハウジングは一対のほぼ垂直なシェル部材を備え、各シェル部材がその上端に対向するシェル部材の方向に延びるフランジを有し、少なくともシェル部材の一部のフランジが結合して、垂直なシェル部のそれぞれの主表面に対して垂直な平面を形成する、請求項２に記載のスライド式ドアローラーシステム。
【請求項１０】
フランジと結合し、外側ハウジングの長手方向軸の一部に沿って延在する垂直なシェル部材の間にスロットを更に備える、請求項９に記載のスライド式ドアローラーシステム。
【請求項１１】
調節機構の回転自在な制御部は垂直シェル部材のそれぞれの主表面に設けられた開口部を通して延伸し、制御部は外側ハウジングの外から回転自在であり、カムと歯車を回転させてローラーハウジングに対する外側ハウジングを指標する、請求項９に記載のスライド式ドアローラーシステム。
【請求項１２】
少なくとも一つのローラーホイールは、前記ローラーホイールの円周に外溝と外溝内に内溝を備え、内溝は外溝から所定距離差し込まれ、かつ、外溝よりも小さい直径を有する、請求項１に記載のスライド式ドアローラーシステム。
【請求項１３】
少なくとも一つのローラーホイールは外溝に沿ってのみトラックやレールと係合するように適合され、パネルの荷重を外向きに分散し、荷重を外溝に沿って集中させる、請求項１２に記載のスライド式ドアローラーシステム。
【請求項１４】
一対のほぼ垂直の側部部材と、その内面に突出部が設けられた一体式基礎部を含み、外側ハウジング内に少なくとも部分的に配置されるローラーハウジングを提供し、
ローラーハウジングに回転自在に連結される少なくとも一つのローラーホイールを提供し、
ローラーハウジングと前記少なくとも一つのローラーホイールに対して移動自在であり、前記少なくとも一つのローラーホイールの回転軸に対して垂直方向に移動自在な外側ハウジングを提供し、
ローラーハウジングおよび外側ハウジングに連結され、外側ハウジングの外から回転自在であり、外側ハウジングに取り付けられたパネルの荷重下で、複数の高さ位置における、ローラーハウジングに対する外側ハウジングを指標するように適合された回転自在な調節機構を提供し、
パネルを外側ハウジングの上面に固定し、
外側ハウジングの外から調節機構を回転させて第一の高さ位置から第一の高さ位置とは異なる第二の高さ位置に対する外側ハウジングを指標する、スライド式ドアローラーシステムの操作方法。
【請求項１５】
調節機構は回転自在な制御部と歯車に連結された非円形のカムを備え、制御部と回転自在に連通し、カムはローラーハウジングの垂直な側部に対して横軸に回転自在であり、複数の歯を含む周縁を有し、カムの歯はカムが回転することで複数の高さ位置においてローラーハウジングに対する外側ハウジングを指標するようにローラーハウジングの内面における突出部と協働し、調節機構を回転させる工程は更に調節部とカムを回転させてローラーハウジングに対する外側ハウジングを指標する、請求項１４に記載のスライド式ドアローラーシステムの操作方法。
【請求項１６】
カムの周縁はカム周縁に沿った第一の位置からカムの周縁に沿った第二の位置までに増加する半径を画定し、
第一の位置から第二の位置にかけてのカムの回転が外側ハウジングを内側ハウジングから第二の高さ位置に離れるように指標をし、第二の高さ位置は第一の高さ位置より高くなり、
第二の位置から第一の位置にかけてのカムの回転が外側ハウジングを内側ハウジングの方向である第二の高さ位置に向かって指標し、第二の高さ位置は第一の高さ位置よりも低くなる、請求項１５に記載のスライド式ドアローラーシステムの操作方法。
【請求項１７】
調節機構の回転自在な制御部は外側ハウジングの少なくとも一部を通して延伸し、調節機構の制御部は外側ハウジングの外から回転自在であり、カムを回転させてローラーハウジングに対する外側ハウジングを指標する、請求項１５に記載のスライド式ドアローラーシステムの操作方法。
【請求項１８】
ローラーハウジングは各側部部材の一部を通して延伸する垂直な溝を備え、カムが回転するとローラーハウジングに対する外側ハウジングが指標され、調節機構の制御部は溝内に伸びて移動自在となる、請求項１５に記載のスライド式ドアローラーシステムの操作方法。
【請求項１９】
ローラーハウジングの内面の突出部はパネルの荷重が掛かっているときカムの回転を抑止する回り止めとして作用し、
一又はそれ以上のカムの歯をローラーハウジングの内面の突出部と係合することで、ローラーハウジングに対する任意の高さ位置に外側ハウジングを固定する
工程を更に備える、請求項１５に記載のスライド式ドアローラーシステムの操作方法。
【請求項２０】
少なくとも一つのローラーホイールは、前記ローラーホイールの円周に外溝と外溝内に内溝を備え、内溝は外溝から所定距離差し込まれ、かつ、外溝よりも小さい直径を有し、
スライド式ドアローラーシステムがトラックまたはレールに沿って移動するときに、少なくとも一つのローラーホイールの外溝に沿ってのみトラックまたはレールを係合し、
パネルの荷重を外向きに分散し、荷重を外溝に沿って集中させる
工程を更に備える、請求項１５に記載のスライド式ドアローラーシステムの操作方法。
【発明の詳細な説明】
【技術分野】
【０００１】
本発明は、一般的なスライド式ドアローラーシステムに関するものである。より具体的には、本発明はマルチパネルのガラス製ドアといったマルチパネルドアのための、側面調節自在なスライド式ドアローラーシステムであって、冊子の最大荷重下において調節可能なものである。
【背景技術】
【０００２】
スライド式ドアは建物の構造において、入口や出口において使われる。ローラーキャリッジを有するスライド式ドアは敷居内のトラック上をスライドすることを可能とする。そのようなドアローラーシステムはハウジングに連結されるドアパネルと一つまたはそれ以上のホイールまたはロール支持するための基部またはハウジングを決まって含む。一般的に、ドアローラーシステムはホイールに対するハウジングの高さまたは間隔を調節自在にするためのものである。
【０００３】
しかし、一般的なドアローラーシステムはいくつかの欠点を抱えている。例えば、一般的なシステムは荷重が掛かっている間にホイールやトラックに対するハウジングの高さまたは間隔の調節ができない。むしろ、予め決められた基準と比較することが必要であり、ドア位置が基準に満たさない場合、ドアパネルはハウジングから取り除かれ、ハウジングの高さまたは間隔がドアパネルを交換する前に調節される。基準に対して新しいドア位置を比較し、新しい位置が基準を満たさない限り、この工程を繰り返す。他の欠点はローラーとトラックの接触点において不適当な荷重の配分やハウジングに固定されるドアパネルに対する最適以下の荷重容量と剛性を含む。
【０００４】
したがって、荷重下においてトラックに対するハウジングの高さまたは間隔を調節するときに、より適切な荷重分配や高い耐荷性能を備えた改良したスライド式ドアローラーシステムが必要とされている。
【発明の概要】
【発明が解決しようとする課題】
【０００５】
従来技術の問題と欠陥を念頭において、本発明の目的は荷重が掛かっている間にトラックまたはレールに対する外側ハウジングの高さまたは間隔の調節可能な改良したスライド式ドアローラーシステムを提供することにある。
【０００６】
本発明の別の目的は、ローラーとトラックの間の接触点における荷重分配を改善可能にする、スライド式ドアローラーシステムに使用するための改良したローラーを提供することにある。
【０００７】
本発明の更なる目的は、ドアパネルの最大荷重下において高い耐荷性と剛性を備える、スライド式ドアローラーシステムに使用するための改良した外側ハウジングを提供することにある。
【０００８】
さらに本発明の別の目的は、スライド式ドアローラーシステムのトラックに対するドアパネルの高さまたは間隔を調節する改良した方法を提供することにある。
【０００９】
さらなる本発明の目的と利点は明細書の記載から部分的に理解され、部分的に明らかであろう。
【課題を解決するための手段】
【００１０】
一対のほぼ垂直の側部部材と、その内面に突出部が設けられた一体式基礎部を含み、外側ハウジング内に少なくとも部分的に配置されるローラーハウジングと、ローラーハウジングに回転自在に連結される少なくとも一つのローラーホイールと、ローラーハウジングと前記少なくとも一つのローラーホイールに対して移動自在であり、前記少なくとも一つのローラーホイールの回転軸に対して垂直方向に移動自在な外側ハウジングと、ローラーハウジングおよび外側ハウジングに連結され、外側ハウジングの外から回転自在であり、外側ハウジングに取り付けられたパネルの荷重下で、複数の高さ位置における、ローラーハウジングに対する外側ハウジングを指標するように適合された回転自在な調節機構を備える、スライド式ドアローラーシステムを説明する本発明において達成される。
【００１１】
調節機構は回転自在な制御部と歯車に連結された非円形のカムを備えていてもよく、制御部と回転自在に連通し、カムはローラーハウジングの垂直な側部部材に対して横軸に回転自在である。カムは複数の歯を含む周縁を有し、カムの歯はカムが回転することで複数の高さ位置においてローラーハウジングに対する外側ハウジングを指標するようにローラーハウジングの内面における突出部と協働する。カムの周縁はカム周縁に沿った第一の位置からカムの周縁に沿った第二の位置までに増加する半径を画定し、第一の位置から第二の位置にかけてのカムの回転が外側ハウジングを内側ハウジングから遠ざける指標し、第二の位置から第一の位置にかけてのカムの回転が外側ハウジングを内側ハウジングに向かって指標する。ローラーハウジングの内面の突出部はパネルの荷重が掛かっている間にカムの回転を抑止する回り止めとして作用する。
【００１２】
調節機構の回転自在な制御部は外側ハウジングの少なくとも一部を通して延伸してもよく、調節機構の制御部は外側ハウジングの外から回転自在であり、カムを回転させてローラーハウジングに対する外側ハウジングを指標する。ローラーハウジングは各側部部材の一部を通して延伸する垂直な溝を備えていてもよく、カムが回転するとローラーハウジングに対する外側ハウジングが指標され、調節機構の制御部は溝内に伸びて移動自在となる。
【００１３】
実施形態として、ローラーハウジングの側部部材は丸みを帯びた角を有する鈍角の三角形を画してもよく、各内側ハウジングの側部部材の鈍角の角から始まり、斜辺の方向に伸びる凹状の溝を更に備えていてもよく、カムが回転するとローラーハウジングに対する外側ハウジングが指標され、調節機構の制御部は溝内に伸びて移動自在となる。
【００１４】
ローラーハウジング基部は一対のほぼ垂直な側面部により一体的に形付けられていてよく、またローラーハウジングは側面部材間の軸に沿って見たとき、ほぼＵ字部の形をしていてよい。
【００１５】
外側ハウジングは一対のほぼ垂直なシェル部材を備えていてもよく、各シェル部材がその上縁上に対向するシェル部材の方向に延びるフランジを有する。少なくともシェル部材の一部のフランジが結合して、垂直なシェル部のそれぞれの主表面に対して垂直な平面を形成してもよい。平面は、フランジと結合し、外側ハウジングの長手方向軸の一部に沿って延在する垂直なシェル部材の間にスロットを更に備えてもよい。調節機構の回転自在な制御部は垂直シェル部材のそれぞれの主表面に設けられた開口部を通して延伸してもよく、制御部は外側ハウジングの外から回転自在であり、カムと歯車を回転させてローラーハウジングに対する外側ハウジングを指標する。
【００１６】
ローラーホイールは、上記ローラーホイールの円周に外溝と外溝内に内溝を備えていてもよく、内溝は外溝から所定距離差し込まれ、かつ、外溝よりも小さい直径を有する。ローラーホイールは外溝に沿ってのみトラックやレールと係合するように適合され、パネルの荷重を外向きに分散し、荷重を外溝に沿って集中させる。
【００１７】
別の側面として、本発明は一対のほぼ垂直の側部部材と、その内面に突出部が設けられた一体式基礎部を含み、外側ハウジング内に少なくとも部分的に配置されるローラーハウジングを提供し、ローラーハウジングに回転自在に連結される少なくとも一つのローラーホイールを提供し、ローラーハウジングと前記少なくとも一つのローラーホイールに対して移動自在であり、前記少なくとも一つのローラーホイールの回転軸に対して垂直方向に移動自在な外側ハウジングを提供し、ローラーハウジングおよび外側ハウジングに連結され、外側ハウジングの外から回転自在であり、外側ハウジングに取り付けられたパネルの荷重下で、複数の高さ位置における、ローラーハウジングに対する外側ハウジングを指標するように適合された回転自在な調節機構を提供する工程を含む、スライド式ドアローラーシステムの操作方法を対象としている。上記方法は、パネルを外側ハウジングの上面に固定し、外側ハウジングの外から調節機構を回転させて第一の高さ位置から第一の高さ位置とは異なる第二の高さ位置に対する外側ハウジングを指標する工程を更に備える。
【００１８】
実施形態として、調節機構は回転自在な制御部と歯車に連結された非円形のカムを備え、制御部と回転自在に連通し、カムはローラーハウジングの垂直な側部に対して横軸に回転自在であり、複数の歯を含む周縁を有し、カムの歯はカムが回転することで複数の高さ位置においてローラーハウジングに対する外側ハウジングを指標するようにローラーハウジングの内面における突出部と協働し、調節機構を回転させる工程は更に調節部とカムを回転させてローラーハウジングに対する外側ハウジングを指標する。カムの周縁はカム周縁に沿った第一の位置からカムの周縁に沿った第二の位置までに増加する半径を画定し、第一の位置から第二の位置にかけてのカムの回転が外側ハウジングを内側ハウジングから第二の高さ位置に遠ざける指標をし、第二の高さ位置は第一の高さ位置より高くなり、第二の位置から第一の位置にかけてのカムの回転が外側ハウジングを内側ハウジングの方向である第二の高さ位置に向かって指標し、第二の高さ位置は第一の高さ位置よりも低くなる。
【００１９】
ローラーハウジングの内面の突出部はパネルの荷重が掛かっているときカムの回転を抑止する回り止めとして作用してもよく、一又はそれ以上のカムの歯をローラーハウジングの内面の突出部と係合することで、ローラーハウジングに対する任意の高さ位置に外側ハウジングを固定する工程を更に備えてもよい。
【００２０】
実施形態として、少なくとも一つのローラーホイールは、前記ローラーホイールの円周に外溝と外溝内に内溝を備えていてもよく、内溝は外溝から所定距離差し込まれ、かつ、外溝よりも小さい直径を有し、スライド式ドアローラーシステムがトラックまたはレールに沿って移動するときに、少なくとも一つのローラーホイールの外溝に沿ってのみトラックまたはレールを係合し、パネルの荷重を外向きに分散し、荷重を外溝に沿って集中させる工程を更に備えていてもよい。
【００２１】
新規であると考えられる本発明の特徴および本発明の特徴的要素は後述する特許請求の範囲に明確に記載されている。図は説明のみを目的としていて、縮尺通り描かれていない。しかし、本発明自体、その構成と操作方法に関して、添付図面と併せて詳細な説明を参照することで最もよく理解されうる。
【図面の簡単な説明】
【００２２】
【図１】図１は本発明におけるスライド式ドアローラーシステムの実施形態の一つを表した斜視図で、完全に下げられた状態で表されている。
【図２】図２は図１で示されたスライド式ドアローラーシステムの正面図である。
【図３】図３は図１で示されたスライド式ドアローラーシステムの平面図である。
【図３Ａ】図３Ａは図３で示されたスライド式ドアローラーシステムの平面図のＡ部分の拡大図である。
【図４】図４は図１で示されたスライド式ドアローラーシステムの底面図である。
【図５】図５は図１で示されたスライド式ドアローラーシステムの斜視図で、外側ハウジングの前部が取り除かれている。
【図６】図６は本発明におけるスライド式ドアローラーシステムの外側ハウジングの実施形態の斜視図である。
【図７】図７は本発明におけるスライド式ドアローラーシステムのカムおよびギアプレートの実施形態の斜視図である。
【図８】図８は図７で示されたカムの合わせ面の斜視図である。
【図９】図９は図７で示されたギアプレートの合わせ面の斜視図である。
【図１０】図１０は本発明におけるスライド式ローラーシステムの内側ハウジングの実施形態の斜視図である。
【図１１】図１１は本発明におけるスライド式ローラーシステムの実施形態に関してローラーホイールの側面図である。
【図１１Ａ】図１１Ａは図１１のスライド式ローラーシステムの実施形態に関してローラーホイールの側面図のＡ部分の拡大図である。
【図１２Ａ】図１２Ａは本発明におけるスライド式ドアローラーシステムの実施形態の側面図で、完全に下げられた状態で表されている。
【図１２Ｂ】図１２Ｂは本発明におけるスライド式ドアローラーシステムの実施形態の側面図で、完全に延伸された状態で表されている。
【図１３】図１３は本発明におけるスライド式ドアローラーシステム実施形態の分解図である。
【発明を実施するための形態】
【００２３】
本発明における実施形態を説明する際、発明の同様な特徴について同様な番号が付されている図１〜図１３を参照する。
【００２４】
本明細書では、便宜上、特定の用語が使われており、本発明を限定するものとみなすべきではない。例えば、「上」、「下」、「左」、「右」、「水平」、「垂直」、「上方」、「下方」、「時計回り」または「反時計回り」は単に図に示されている構造を記しているに過ぎない。
【００２５】
明確にするため、似た要素を区別するために同じ参照符号が複数の図面で使われてもよい。
【００２６】
加えて、本発明の説明において、「例示的」という言葉は例、事例または実例として機能することを意味するために使われている。本明細書で「例示的」として説明された態様または設計は、必ずしも他の態様または設計よりも好ましいまたは有利であると解釈されることを意図したものではない。むしろ、「例示的」という言葉の使用は、概念を具体的な方法で提示することを意図しているだけである。
【００２７】
本発明のスライド式ドアローラーシステムの一実施形態は図１−図１３にすべてまとめて示されている。スライド式ドアローラーシステムはガラス製マルチパネルといった、ドアや窓パネルをトラックや他のレールの経路に沿って動かすことを可能にするか、または補助するように構成されている。従来のローラーシステムと違い、本発明におけるローラーシステムは荷重が掛かっている間にも調節自在であり、トラックに対してローラーシステムによって支持されるパネルの高さや間隔を変更できる。ローラーシステムはローラーハウジングと、ローラーハウジングに回転自在に連結される少なくとも一つのローラーまたはホイールと、外側ハウジングと、ローラーハウジングとトラックまたはレールに対する外側ハウジングの高さを調節するためにローラーハウジングと外側ハウジングに連結される調節機構を備える。
【００２８】
ここで図１を参照すると、本発明におけるスライド式ドアローラーシステム１００の実施形態が示されている。本システムはローラーハウジングまたはキャリエッジ２０（図５に最もよく示されている。以下同文）が少なくとも部分的に配置されている外部ハウジングまたはシェル１０（図６）を備える。図１に示されているように、外部ハウジングまたはシェル１０は非一体形の端部部材５０，５２によって接続される一対のほぼ垂直な側部部材またはシェル部材１１，１２を備える。端部部材はシェル部材のスロット１５内で延びるつまみ１８を備え、リベット留め等の既知の方法でそこで固定される。端部部材をシェル部材に固定する他の方法もまた使われてもよい。他の実施態様として、端部部材は外側ハウジングまたはシェル１０を形成する側部部材１１，１２と非一体的に形成されてもよい。図６に最もよく示されているように、各シェル部材は上端１３にフランジ１４を備え、フランジ１４は対向するシェル部材の方向に、各シェル部材の主表面１１ａ，１２ａに対してほぼ垂直に延伸する。先行技術であるローラーシステムにおける従来のハウジングとは対照的に、それぞれの側部部材のフランジはそれぞれ鍵状部分１４ａを有し、そうでなければそれぞれのシェル部材の主表面に対してほぼ垂直な平面を形成するように連結される（図３及び図３Ａ）。少なくとも図１、図３及び図６に示されているように、フランジを連結させることで形成された平面は一対の垂直な側部部材１１，１２の間のほぼ中心にスロットまたはすき間１６を備えていてもよい。フランジの連結は、パネルが固定されたとき、外側ハウジングまたはシェル部の剛性を高め、従来技術のローラーシステムの負荷容量を増加させる。
【００２９】
本発明のローラーシステムは、図５で示されているように、少なくとも一つのローラーまたは車輪が内部に配置される内側ハウジングまたはキャリッジを更に備える。内側ハウジング２０は、以下により詳細に説明されるように、ローラーハウジングと外側ハウジングに連結された回転自在な調節機構４０によって外側ハウジング１０内及び外側ハウジング１０に対して調節自在である。このような調節により、トラックやレール（図１２Ａ，図１２Ｂ）に対するローラーシステムに支持される外側ハウジングとドアパネルの高さや間隔が変更される。
【００３０】
内側ハウジングまたはキャリッジ２０は一体式基礎部２６によって接続された一対のほぼ垂直な側部部材を備えている。通常は２以上のローラーハウジング備える、先行技術のローラーシステムとは対照的に、本発明の内側ハウジングは垂直な側部部材間の軸に沿って見たとき、ほぼＵ字形を形成する一体式のハウジングであってもよい。基礎部２６は、その内面２６ａに、基礎部２６の長さに沿ったほぼ中間点に突起部または突出部２７を備える。実施形態として、図５に最もよく見られるように、内側ハウジングの側部部材２１，２２は丸みを帯びた角を有する鈍角な三角形の平面を画定してもよい。各側部部材内には、側部部材の鈍角な角から始まり、斜辺の方向に延伸する凹部または溝２３がある。以下に説明されるように、制御部材６０は溝内に延伸し、ローラーハウジング２０に対するパネルの高さまたは間隔を調節する調節機構４０の作動に応じて溝内で垂直に上下に移動または動く。各側部部材２１，２２は、ベアリングを受容するため、少なくとも一つの開口部２４と、ローラーハウジングにローラーまたは車輪を回転自在に固定するため、開口部を通して延伸する締め具２５，２８を更に備えている（図５及び図１０）。
【００３１】
図５に示されているように、少なくとも一つのローラーまたは車輪３０はローラーハウジング内に取り付けられ、囲まれている。各ローラーはトラックまたはレールと結合するために、ローラーの円周について外溝または陥凹３１と、ローラーの円周について外溝内ほぼ中間点に内溝３２を備えている（図１１）。内溝３２は外溝３１から差し込まれ、外溝の直径ｄ１よりも小さい直径ｄ２を有する。先行技術における一般的なローラーでは、上記ローラーは、上記ローラーまたはホイールの外形のほぼ中間点にトラックまたはレールの接触点を有し、特定の一点に荷重を集中させる。対照的に、本発明におけるローラー３０は、上記車輪またはローラーの外形を画する外溝を提供し、これは従来技術よりも上記ローラーとトラック間に追加の接触点を有し、改善した荷重の分散が可能である。図１１の拡大図において最もよく示されているように、内溝３２は外溝３１から所定距離ｉ差し込まれ、レールまたはトラックに沿ったローラーシステムの移動を通してローラーホイールが外溝に沿ってのみレールと接触し、荷重を外側へと分散させる。内溝３２は、内溝がトラックまたはレールと接触することがないので、荷重を外溝の接触点に沿って集中させることで、追加の荷重を軽減するように作用する。
【００３２】
外側ハウジングまたはシェル部１０及び内側ハウジング２０には、ローラーハウジングとレールまたはトラックに対する外側ハウジングとパネルの高さまたは間隔を調節するための回転自在な調節機構４０が連結されている。図７〜図９に示されているように、制御機構は、ギアプレート４６に連結され、ローラーハウジングの垂直な側部部材を横断する軸周りについて回転自在な非円形のカム４１と、カムと回転自在に連動する制御部６０を備えていてもよい。カム４１は複数の歯４５を有する主表面４４を備え、（図７に示されるように、）反時計回りで見ると、主表面にそって第一の位置から第二の位置まで増加する半径Ｒを画定する。ローラーハウジング基部における内面２６ａ上の隆起部または突出部に関連して（図４および図１０）、カム４１おとびカム歯４５の可変の半径は、複数の高さ位置において内側ローラーハウジングまたはキャリッジ２０に対する外側ハウジング１０を指標するよう動作する。
【００３３】
図８および図９に示されているように、カム４１は後面４２上に歯車４７が内部に配置される窪み４３を備え、カムはギアプレート４６と回転自在に固定される。ローラーとトラックまたはレールに対する外側ハウジングの高さまたは間隔を調節する制御部６０を受容するため、開口部４９はギアプレート４６とカム４１の両方を貫通して延伸している。
【００３４】
回転自在な締め具といった制御部６０はパネルの高さまたは間隔を調節するために、スライド式ドアローラーシステムを横断して延伸している。より厳密には、制御部６０は外側ハウジングの垂直な側部部材の開口部１７、内側ハウジングの垂直な側部部材の凹部２３、そしてカムおよびギアプレートの開口部４９のそれぞれを通って延伸していて、制御部は外側ハウジングのどちらか一方の外側から調整、または回転させられてもよい。制御部の調整、換言すると締め具の回転はローラーハウジング内に配置されるカムを時計回りまたは反時計まわりのどちらか一方に回転させ（図７の矢印４８で表される）、カムとカム歯４５における可変の半径はローラーハウジング基部の突出部２７と協働して、所望の高さ位置の間で内側ローラーハウジング２０に対する外側ハウジングを指標するよう動作する。
【００３５】
例えば、制御部または締め具６０の時計回り方向に回転させると、カム４１の半径Ｒ＋Ｘ（図７）に増加させる方向に回転し、それにより内側ハウジングから離れるように外側ハウジング１０を段切りまたは指標するとともに、トラックに対して支持されたパネルの高さを増加させる。対して、制御部６０の反時計まわり方向に回転させると、カム１の半径Ｒを減少させる方向に回転し、それにより内側ハウジングを外側ハウジングに近づけ、トラックまたはレールに対する外側ハウジング（そしてパネル）の高さを低くする。図１２Ａは高さＨ１を有する完全に下げられた状態（換言すると、カム４１が完全に時計回り方向に回転された状態）の外側ハウジング１０を示す、一方図１２ＢはＨ１よりも高い、高さＨ２を有する完全に伸ばされた状態（換言すると、カム４１が完全に反時計回り方向に回転された状態）の外側ハウジング１０を示す。一つの実施形態として、Ｈ１は約３８．１ｍｍ（１．５ｉｎｃｈｅｓ）であってよく、Ｈ２は約４４．４５ｍｍ（１．７５ｉｎｃｈｅｓ）であってよい。製造公差と設計要件により、Ｈ１とＨ２間の高さの差が６．３５ｍｍ（０．２５ｉｎｃｈｅｓ）より大きくても小さくてもよいことは当業者にとって理解されるはずである。図１２Ａから図１２Ｂへの推移に示されるように、カムが回されると、外側ハウジング１０がレールまたはトラックから離れ、またはそれに向かい段階的に移動するように、制御部６０は溝２３内で垂直に上下に動く。明確にするため、レールまたはトラックはどちらも図１２Ａおよび図１２Ｂには明確に示されていない。
【００３６】
調節機構４０および調節部６０が回転していないとき、ローラーハウジング基礎部の内面２６ａ上の隆起部または突出部２７はパネルの荷重下でカムの回転を抑止する回り止めとして作用する。本発明のシステムにおける利点の一つは、先行技術のスライド式ローラーシステムのように、基準を満たすためにパネルの撤去や外部ハウジングの調整を要することなく、外側ハウジングをパネルの最大荷重下において調整できるということである。
【００３７】
したがって本発明は以下の利点の内一つ以上を達成する。本発明におけるローラーシステムは最大荷重下においてローラーおよびレールまたはトラックに対するパネルの高さまたは間隔の調整を可能とし、それによってドアを取替え、そして新しいドア位置をあらかじめ決められた基準と比較する前に、ドアパネルを撤去し、そしてパネルの高さまたは間隔を調節する従来のドアローラーシステムの要件をなくした。本発明はさらに外側ハウジングまたはシェル部を結合するインターロックまたは鍵付きフランジにより高い耐荷性を有し、外溝及び内溝構造によりローラーまたはホイールでの負荷分散の改善を可能にする。
【００３８】
典型的な実施態様とともに本発明を特に説明したが、先述の説明に照らして、多くの代替、修正および変形が当業者にとって明らかであろうことは明白である。したがって、添付の特許請求の範囲は、本発明の真の範囲および精神に含まれるものとして、そのような代替、修正、および変形を包含すると考えられる。
【図１】
2020512494.tif 000003
【図２】
2020512494.tif 000004
【図３】
2020512494.tif 000005
【図３Ａ】
2020512494.tif 000006
【図４】
2020512494.tif 000007
【図５】
2020512494.tif 000008
【図６】
2020512494.tif 000009
【図７】
2020512494.tif 000010
【図８】
2020512494.tif 000011
【図９】
2020512494.tif 000012
【図１０】
2020512494.tif 000013
【図１１】
2020512494.tif 000014
【図１１Ａ】
2020512494.tif 000015
【図１２Ａ】
2020512494.tif 000016
【図１２Ｂ】
2020512494.tif 000017
【図１３】
2020512494.tif 000018
【国際調査報告】
2020512494.tif 000019